(57)【特許請求の範囲】
【請求項１】
長方形状の外枠と、
同外枠の前面側にて同外枠の左側端を中心として前側に回動可能に支持された長方形の枠型であって、遊技盤を取り付ける遊技盤取付部を有する前面枠と、
前記前面枠の前面側から前記遊技盤取付部に固定される遊技盤とを備えたパチンコ遊技機において、
前記遊技盤の前面側隅部に位置して設けられた基盤と、
前記基盤に移動可能に設けられた移動片と、
前記遊技盤取付部に設けられ、前記移動片の一部が前記遊技盤の端面から突出して係合することが可能なスリット状の長孔を備え、
前記移動片は、前記移動片の全てが前記長孔内に係合していない第１の位置から前記移動片の一部が前記遊技盤の端面から突出して前記長孔内に係合する第２の位置に移動可能にされていることを特徴とするパチンコ遊技機。
【発明の詳細な説明】
【０００１】
【発明の技術分野】
本発明は、パチンコ遊技機に係り、特にその改良に関する。
【０００２】
【従来の技術】
従来、この種のパチンコ遊技機は、図１０に示すように、長方形の外枠１を有しており、外枠１の前側に長方形の前面枠２を設けている。前面枠２は左端に設けた上下一対のヒンジ部１ａによって左端を中心として外枠１に回動可能に支持されている。前面枠２は、図１０に示すように、下端近傍位置に下皿、発射ハンドル等を含む部品基盤３が固定されており、部品基盤３の上部の前面枠２の左右両側部及び上部の内縁に沿って金属製の枠板４が取り付けられている。枠板４の内縁下部には発射レールを含む発射装置の一部が配設される機構板５が固定されている。機構板５の上端中央には取付凸部５ａが設けられている。
【０００３】
枠板４の左垂直部の上下位置には、前面枠２の内側空間部に突出した一対の固定片４ａが設けられており、また、枠板４の右垂直部の上下位置には、回動レバー（図示しない）の操作により内側空間部に突出する一対の可動片４ｂが上下方向に設けられている。枠板４の上水平部の中央位置には、前面枠２の内側空間部に突出した固定片４ｃが設けられている。このような構成の前面枠２の枠板４の背面側の前面及び機構板５の上面に遊技盤６を当接させ、固定片４ｃ及び取付凸部５ａにより前側への移動を防止しつつ、遊技盤６の左側面を枠板４の左垂直部に設けた固定片４ａに押し付け、前面枠２を開放した状態で上記回転レバーを操作することにより、一対の可動片４ｂを枠板４の右側垂直部の内側に突出させて遊技板６の右側端を押圧しながら、枠板４の左側垂直部に押し付けるようにして、遊技板６を前面枠２に位置決めして固定させている。
【０００４】
また、他のパチンコ遊技機は、図１１に示すように、枠板部７の四隅の少なくとも２箇所に位置決め凸部７ａを設けている。遊技盤６の裏面側には、枠板部７の位置決め凸部７ａの対応位置には位置決め凹部（図示しない）が設けられている。この遊技盤６の位置決め凹部を前面枠２の位置決め凸部７ａに係合させた後、遊技盤６の前面側から遊技盤６を前面枠２に位置決め凹部及び位置決め凸部７ａ位置でネジ止めすることにより、遊技盤６は前面枠２に固定される。
これらパチンコ遊技機は、前面枠２に対し前側から遊技盤６を嵌め合わせて固定する構成になっているので、遊技盤６の取り付けや取り外し作業が容易であるという長所を備えている。
【０００５】
【発明が解決しようとする課題】
しかし、上記前者のパチンコ遊技機においては、遊技盤６の前面枠２への取り付けを、前面枠２を開放した状態で遊技盤６を前面枠に当接させつつ回動レバーを操作して遊技盤６を固定させる必要があり、取付作業が非常に煩雑であった。また、遊技盤６を横方向に押圧する構成なので、遊技盤６の形状によってその位置がばらつき易く、精密な位置精度を出し難いという問題もある。さらに、遊技盤のベニヤ板の厚みのばらつきにより、遊技盤前面位置の前後方向へのばらつきも生じ易いという問題もある。
【０００６】
また、上記後者のパチンコ遊技機においては、遊技盤６の前面枠２への取り付けに際し、ビス止めを行う必要があるため、遊技盤６の取付作業が煩雑である。さらに、この場合、遊技盤６の横方向の位置ずれは問題ないが、遊技盤６の厚みのばらつきによる遊技盤前面位置の前後方向の位置のばらつきが問題になることもある。
本発明は、上記した問題を解決しようとするもので、本体前面枠へ前側からの遊技盤面の取り付けが、簡単な作業でかつ位置精度良く行われるパチンコ遊技機を提供することを目的とする。
【０００７】
【課題を解決するための手段及び発明の効果】
本発明のパチンコ遊技機は、長方形状の外枠と、同外枠の前面側にて同外枠の左側端を中心として前側に回動可能に支持された長方形の枠型であって遊技盤を取り付ける遊技盤取付部を有する前面枠と、前記前面枠の前面側から前記遊技盤取付部に固定される遊技盤とを備えたものにおいて、前記遊技盤の前面側隅部に位置して設けられた基盤と、前記基盤に移動可能に設けられた移動片と、前記遊技盤取付部に設けられ前記移動片の一部が前記遊技盤の端面から突出して係合することが可能なスリット状の長孔を備え、前記移動片は前記移動片の全てが前記長孔内に係合していない第１の位置から前記移動片の一部が前記遊技盤の端面から突出して前記長孔内に係合する第２の位置に移動可能にされているところに特徴を有する。
【０００８】
上記のように本発明を構成したことにより、パチンコ遊技機の前面から遊技盤を前面枠の遊技盤取付部に固定し、遊技盤に設けた移動片を移動させて遊技盤取付部の長孔に係合させることにより遊技盤を前面枠に簡単に取り付けることができる。また、遊技盤の横方向及び前後の位置は遊技盤の前面に設けた移動片を遊技盤取付部の長孔に係合させることにより一定に保たれる。その結果、遊技盤は常に前面枠の一定位置に保持される。
【０００９】
その他発明１の構成上の特徴は、長方形状の外枠と、外枠の前面側にて外枠の左側端を中心として前側に回動可能に支持された長方形の枠型であってその内周壁に沿って内側に向けて突出した枠板部と枠板部の下端部間に支持された部品搭載板とを設けた前面枠と、枠板部の前面側に当接状態で前面枠に固定される遊技盤とを備えたパチンコ遊技機において、前面枠の内周壁部及び部品搭載板の上壁の内の互いに対向する少なくとも１対の部分を含む壁面の各々の少なくとも１箇所に設けた係合凹部と、遊技盤の前面の前面枠の係合凹部との対向位置に配設されて移動片と移動片を移動可能なように支持する固定部とを有する固定部材とを備え、遊技盤を枠板部に当接させた状態で、固定部材の移動片を移動させて前面枠の係合凹部に係止させることにより遊技盤が前面枠に固定されることにある。
上記のようにその他発明１を構成したことにより、パチンコ遊技機の前面から遊技盤を前面枠の枠板部に当接させ、遊技盤に設けた固定部材の移動片を移動させて前面枠の係合凹部に係止させることにより遊技盤を前面枠に簡単に取り付けることができる。また、遊技盤の横方向及び前後の位置は遊技盤の前面に設けた固定部材の移動片を前面枠及び部品搭載盤の一定位置に設けた係合凹部に挿入し係止させることにより一定に保たれる。その結果、遊技盤は常に前面枠の一定位置に保持される。
その他発明２の構成上の特徴は、その他発明１に記載のパチンコ遊技機において、前面枠の枠板部の少なくとも１箇所に位置決め部を設けると共に、遊技盤の背面側の位置決め部との対応位置に位置決め部に係合する位置決め係合部を設けたことにある。
【００１０】
上記のようにその他発明２を構成したことにより、遊技盤はその位置決め係合部を前面枠の位置決め部に嵌め合わせた状態で前面枠に当接するので、遊技盤の縦横方向の位置はより確実に一定に保たれる。
【００１１】
その他発明３の構成上の特徴は、その他発明１またはその他発明２に記載のパチンコ遊技機において、固定部材の移動片と係合凹部との係合状態において、移動片と固定部にまたは移動片と前面枠の係合凹部に移動片の移動を妨げる拘束機構を設けたことにある。
【００１２】
上記のようにその他発明３を構成したことにより、固定部材の移動片と係合凹部との係合状態において、拘束機構により移動片の移動が確実に防止されるので、遊技盤が位置ずれすることがない。
【００１３】
【発明の実施の形態】
以下、本発明の実施の形態を図面を用いて説明すると、図１は、一実施形態に係るパチンコ遊技機の本体１０の前面ガラス扉及び上皿盤を取り除いた状態を正面図により示したものである。
本体１０は、縦長の長方形の枠形状であり、後側及び下端部を構成する外枠１１と下端部を除く前面側を構成する前面枠２０とを有している。外枠１１は、図１に示すように、左側の上下端に設けたヒンジ部１１ａ，１１ｂによって前面枠２０を回動可能に支持しており、前面枠２０の前面と外枠１１の下端部の前面は面一になっている。前面枠２０は、図１に示すように、枠本体２１を設けており、枠本体２１の下端側には、下皿、発射ハンドル等を備えた部品基盤２２が固定されている。そして、部品基盤２２上の枠本体２１の内周部には、図２に示すような、金属枠２３が嵌め込まれている。ただし、金属枠に代えて樹脂枠を用いることもできる。
【００１４】
金属枠２３は、四角形状の周囲のほぼ全体に枠本体２１の前面に固定される左右上下のフランジ部２３ａ〜２３ｄと、フランジ部２３ａ〜２３ｄの内端にて直角後方に折り曲げられ枠本体２１の内周壁に密接する左右上下垂直部２４ａ〜２４ｄと、垂直部２４ａ〜２４ｄの後端で内側に折り曲げられた左右上背面部２５ａ〜２５ｃを設けている。金属枠２３の下端近傍の背面部２５ａ，２５ｂには発射レール、発射槌等が配設される長方形の所定の厚さの部品搭載板２６が固定されている。部品搭載板２６の上端中央部には、後述する遊技盤３０を前面から支える支持片２６ａが回動可能に設けられている。背面部２５ａ〜２５ｃ及び部品搭載板２６により構成される四角形の四隅には、円弧形の背面支持板２７ａ〜２７ｄが設けられ、右上及び左下の背面支持板２７ａ，２７ｄには位置決め凸部２７ａ1 ，２７ｄ1 が設けられている。ただし、位置決め凸部は１箇所であってもよい。
【００１５】
金属枠２３の各背面支持板２７ａ〜２７ｄの横方向の垂直部２４ａ，２４ｂには、各々補強板２８ａ，２８ｂ，２８ｃ，２８ｄが設けられている。補強板２８ａ〜２８ｄ及びこれに続く垂直部２４ａ，２４ｂには、図４〜図６に示すように、縦方向にスリット形状の長孔２８ａ1 （他の長孔については図示しない）が設けられている。金属枠２３の左側垂直部２４ａの上下位置には、図示しない賞球タンク等の賞球供給経路を構成する樹脂製枠部材を支持する後方に延びた支持棒２９が設けられている。また、右側背面部２５ｂの上端近傍位置には、図示しない前面扉が金属枠２３に当接しているか否かを検出する扉検出スイッチ２５ｂ1 が設けられている。
【００１６】
遊技盤３０は、図３に示すように、四角形状の木製板の表面に化粧板を張り付けて形成されており、化粧板面３０ａに垂直に円形のガイドレール３１が配設され、その内部に図示しない表示装置、入賞口、役物、風車、釘等が設けられている。遊技盤３０の四隅には、化粧板３０ａを円弧形に除去した円弧形凹部３０ｂが設けられている。遊技板３０は、裏面側の隅の対角位置の２箇所に、上記位置決め凸部２７ａ1 ，２７ｄ1 に対応して位置決め凹部３０ｃ，３０ｄ（３０ｄは図示しない）を設けている。
【００１７】
そして、遊技盤３０の四隅の円弧形凹部３０ｂ位置には、遊技盤固定部材３２が設けられている。遊技盤固定部材３２は、図４〜図６に示すように、長方形の基盤３３を有し、基盤３３には長手方向に平行なレール３４が配設されている。レール３４は、途中で一定間隔Ｍが除去されて２つの部分に分けられている。レール３４間にはレール３４間隔と短辺寸法が略同一である移動片３５が移動可能に配置されている。移動片３５には、長手方向の略中間部に取手３５ａが設けられており、この取手３５ａにより手動にて移動片３５を間隔Ｍの間を移動させられるようになっている。移動片３５の断面形状は、上記補強板２８ａ〜２８ｄの長孔２８ａ1 と略同一形状である。そして、移動片３５が装着されたレール３４上には、移動片３５を被覆する被覆板３６が取り付けられている。ただし、遊技板固定部材３２は、必要に応じて遊技盤３０の左右側に各々１個だけ設けるようにしてもよい。
【００１８】
以上のような構成の遊技盤３０を、図６に示すように、その位置決め凹部３０ｃ，３０ｄを金属枠２３の位置決め凸部２７ａ1 ，２７ｄ1 に嵌め合わせた状態で、遊技盤３０の円弧形凹部３０ｂに設けた遊技盤固定部材３２の移動片３５を移動させての補強板２８ａの長孔２８ａ1 に挿着させることにより、遊技盤３０を前面枠２０に簡単に取り付けることができる。また、遊技盤３０の横方向の位置は、位置決め凹部３０ｃ，３０ｄを金属枠２３の位置決め凸部２７ａ1 ，２７ｄ1 との嵌め合わせにより一定に保たれ、前後の位置は遊技盤３０の前面に設けた遊技盤固定部材３２を前面枠２０の一定位置に設けた長孔２８ａ1 に挿着することにより一定に保たれる。その結果、遊技盤３０の前面は常に前面枠２０の一定位置に保持される。
【００１９】
つぎに、上記第１の実施形態の変形例１について図面を用いて説明する。
変形例１においては、図７に示すように、遊技盤固定部材３２の移動片３５を下方に移動させ、部品搭載板２６に設けた係合凹部２６ｂに挿着させるようにしたものである。同様に、遊技盤固定部材３２を遊技盤３０の上部に設け、枠部材の上垂直部２４ｃに設けた係合凹部（図示しない）に挿入し係止させる。これによっても、第１の実施形態に示したと同様に、遊技盤３０を前面枠２０の一定位置に保持することができる。また、このように上下方向に遊技盤固定部材を係止しさせる方法と、第１の実施形態に示した横方向に遊技盤固定部材を係止させる方法を組み合わせて用いてもよい。
【００２０】
つぎに、第２の実施形態を図面を用いて説明する。
図８は、第２の実施形態である遊技盤固定部材３７を部分正面図により示したものである。この遊技盤固定部材３７は、移動片３５の両側部の取手３５ａの近傍部分に突起部３５ｂを設けている。そして、突起部３５ｂと対応するレール３４位置に、突起部３５ｂと係合する凹部３４ａを設けた。
【００２１】
これにより、移動片３５が移動して補強板２８ａの長孔２８ａ1 に挿着されたときに、突起部３５ｂが凹部３４ａに係合してロックされるので、パチンコ遊技機の振動とうにより移動片３５が移動して補強板２８ａから外れることがない。そのため、遊技盤３０の前面枠２０への取り付けの信頼性が確保される。ただし、移動片３５の遊技盤固定部材３７へのロック方法はこれに限るものではない。また、移動片３５を、補強板２８ａ〜２８ｄや金属枠２３や前面枠２０にロックさせることも可能である。
【００２２】
つぎに、第３の実施形態を図面を用いて説明する。
図９は、第３の実施形態である遊技盤固定部材４０により遊技盤３０を前面枠２０に固定した状態を部分拡大部分正面図により示したものである。この遊技盤固定部材４０は、遊技盤３０の四隅の円弧形凹部３０ｂに固定される四角形の基盤４１と、基盤４１に固定ピン４２により回転可能に取り付けられた縦長の長方形の移動片４３とを設けている。移動片４３の固定ピン４２取付位置には棒状の取手４３ａが取り付けられている。また、金属枠２３の背面支持板２７ａの横方向の垂直部２４ａには、補強板２８ｅが設けられている。補強板２８ｅ及びこれに続く垂直部２４ａには、縦方向にスリット形状の長孔２８ｅ1 が設けられている。
【００２３】
以上のような構成の固定部材４０は、図９に示すように、移動片４３を矢印に示す方向に回動させて２点鎖線位置に移動させ、補強板２８ｅの長孔２８ｅ1 に係止させることにより、遊技盤３０を前後左右方向への位置ずれがないように、前面枠２０へ確実に取り付けることができる。
【００２４】
なお、上記実施形態において、必要に応じて金属枠２３の背面部に設けた位置決め凸部２７ａ1 ，２７ｄ1 及び遊技盤３０に設けた位置決め凹部３０ｃ，３０ｄを省くことができる。
また、上記実施形態に示した、パチンコ遊技機の各部材の形状等については、目的用途等に応じて適宜変更して実施することができる。
【図面の簡単な説明】
【図１】本発明の一実施形態に係るパチンコ遊技機（前面扉及び上皿盤を取り外した状態）を概略的に示す正面図である。
【図２】同パチンコ遊技機の前面枠の内の金属枠を概略的に示す正面図である。
【図３】同パチンコ遊技機の遊技盤を概略的に示す正面図である。
【図４】前面枠と遊技盤の固定部材の関係を示す部分拡大正面図である。
【図５】固定部材により遊技盤を前面枠に固定した状態を示す部分拡大正面図である。
【図６】図５に示すＶＩ−ＶＩ線方向の断面図である。
【図７】変形例１の固定部材により遊技盤を前面枠に固定した状態を示す部分拡大正面図である。
【図８】第２実施形態に係る固定部材の一部を示す部分拡大正面図である。
【図９】第３の実施形態に係る固定部材により遊技盤を前面枠に固定した状態を示す部分拡大正面図である。
【図１０】従来例１に係るパチンコ遊技機（前面扉及び上皿盤を取り外した状態）を概略的に示す正面図である。
【図１１】従来例２に係るパチンコ遊技機（前面扉及び上皿盤を取り外した状態）を概略的に示す正面図である。
【符号の説明】
１０…本体、１１…外枠、１１ａ，１１ｂ…ヒンジ部、２０…前面枠、２１…枠本体、２２…部品基盤、２３…金属枠、２３ａ〜２３ｄ…フランジ部、２４ａ〜２４ｄ…垂直部、２５ａ〜２５ｃ…背面部、２６…部品搭載板、２６ａ…支持片、２７ａ〜２７ｄ…背面支持板、２７ａ1 ，２７ｄ1 …位置決め凸部、２８ａ〜２８ｅ…補強板、２８ａ1 ，２８ｅ1 …長孔、３０…遊技盤、３０ａ…化粧板、３０ｂ…円弧形凹部、３０ｃ，３０ｄ…位置決め凹部、３２、３７…遊技盤固定部材、３３…基盤、３４…レール、３４ａ…凹部、３５…移動片、３５ａ…取手、３５ｂ…突起部、３６…被覆板、４０…遊技盤固定部材、４１…基盤、４２…固定ピン、４３…移動片、４３ａ…取手。
【図１】
0004010423.tif 000002
【図２】
0004010423.tif 000003
【図３】
0004010423.tif 000004
【図４】
0004010423.tif 000005
【図５】
0004010423.tif 000006
【図６】
0004010423.tif 000007
【図７】
0004010423.tif 000008
【図８】
0004010423.tif 000009
【図９】
0004010423.tif 000010
【図１０】
0004010423.tif 000011
【図１１】
0004010423.tif 000012